【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の第１レンズ群、正の屈折力の第２レンズ群を有し、ズーミングに際して隣り合うレンズ群の間隔が変化するズームレンズにおいて、
前記第１レンズ群は、樹脂材料よりなり非球面形状のレンズ面を有する負レンズＧ１ｎと樹脂材料よりなり非球面形状のレンズ面を有する正レンズＧ１ｐとを含む、３枚以上のレンズから構成され、
前記第１レンズ群の焦点距離をｆ１、広角端における前記ズームレンズのバックフォーカスをＳｋとするとき、
０．５５＜｜ｆ１／Ｓｋ｜＜２．２０
なる条件式を満足することを特徴とするズームレンズ。
【請求項２】
前記正レンズＧ１ｐの材料の比重をＳＧｐ、前記負レンズＧ１ｎの材料の比重をＳＧｎとするとき、
０．５＜ＳＧｐ＜２．０
０．５＜ＳＧｎ＜２．０
なる条件式を満足することを特徴とする請求項１に記載のズームレンズ。
【請求項３】
前記正レンズＧ１ｐの材料のアッベ数をνｐ、前記負レンズＧ１ｎの材料のアッベ数をνｎとするとき、
１５．０＜νｐ＜４０．０
５０．０＜νｎ＜７５．０
なる条件式を満足することを特徴とする請求項１又は２に記載のズームレンズ。
【請求項４】
前記正レンズＧ１ｐの焦点距離をｆｐ、前記負レンズＧ１ｎの焦点距離をｆｎとするとき、
０．８＜｜ｆｐ／ｆｎ｜＜１．２
なる条件式を満足することを特徴とする請求項１乃至３のいずれか１項に記載のズームレンズ。
【請求項５】
前記正レンズＧ１ｐの焦点距離をｆｐ、前記負レンズＧ１ｎの焦点距離をｆｎとするとき、
１．６＜｜ｆｐ／ｆ１｜＜２．５
１．５＜ｆｎ／ｆ１＜２．５
なる条件式を満足することを特徴とする請求項１乃至４のいずれか１項に記載のズームレンズ。
【請求項６】
前記第１レンズ群を構成するレンズの材料の屈折率の平均値をＮａｖｅとするとき、
１．４５＜Ｎａｖｅ＜１．６５
なる条件式を満足することを特徴とする請求項１乃至５のいずれか１項に記載のズームレンズ。
【請求項７】
前記第１レンズ群は、前記第１レンズ群の最も物体側に配置されたメニスカス形状の負レンズＧ１を有し、該負レンズＧ１の材料の屈折率をＮＧ１とするとき、
１．４５＜ＮＧ１＜１．７０
なる条件式を満足することを特徴とする請求項１乃至６のいずれか１項に記載のズームレンズ。
【請求項８】
前記第１レンズ群は、前記負レンズＧ１ｎおよび前記正レンズＧ１ｐより物体側に配置された、ガラス材料からなるメニスカス形状の負レンズを有することを特徴とする請求項１乃至７のいずれか１項に記載のズームレンズ。
【請求項９】
前記第１レンズ群は、物体側から像側へ順に配置された、ガラス材料よりなるメニスカス形状の負レンズＧ１、前記負レンズＧ１ｎ、前記正レンズＧ１ｐから構成されることを特徴とする請求項１乃至８のいずれか１項に記載のズームレンズ。
【請求項１０】
前記ズームレンズは、物体側より像側へ順に配置された、前記第１レンズ群、前記第２レンズ群から構成されることを特徴とする請求項１乃至９のいずれか１項に記載のズームレンズ。
【請求項１１】
前記ズームレンズは、物体側より像側へ順に配置された、前記第１レンズ群、前記第２レンズ群、正の屈折力の第３レンズ群から構成されることを特徴とする請求項１乃至９のいずれか１項に記載のズームレンズ。
【請求項１２】
前記ズームレンズは、物体側より像側へ順に配置された、前記第１レンズ群、前記第２レンズ群、負の屈折力の第３レンズ群、正の屈折力の第４レンズ群から構成されることを特徴とする請求項１乃至９のいずれか１項に記載のズームレンズ。
【請求項１３】
前記ズームレンズは、物体側より像側へ順に配置された、前記第１レンズ群、前記第２レンズ群、負の屈折力の第３レンズ群、正の屈折力の第４レンズ群、負の屈折力の第５レンズ群、正の屈折力の第６レンズ群から構成されることを特徴とする請求項１乃至９のいずれか１項に記載のズームレンズ。
【請求項１４】
請求項１乃至１３のいずれか１項に記載のズームレンズと、該ズームレンズによって形成される像を受光する固体撮像素子を有することを特徴とする撮像装置。
【手続補正２】
【補正対象書類名】明細書
【補正対象項目名】０００８
【補正方法】変更
【補正の内容】
【０００８】
本発明のズームレンズは、物体側から像側へ順に配置された、負の屈折力の第１レンズ群、正の屈折力の第２レンズ群を有し、ズーミングに際して隣り合うレンズ群の間隔が変化するズームレンズにおいて、
前記第１レンズ群は、樹脂材料よりなり非球面形状のレンズ面を有する負レンズＧ１ｎと樹脂材料よりなり非球面形状のレンズ面を有する正レンズＧ１ｐとを含む、３枚以上のレンズから構成され、
前記第１レンズ群の焦点距離をｆ１、広角端における前記ズームレンズのバックフォーカスをＳｋとするとき、
０．５５＜｜ｆ１／Ｓｋ｜＜２．２０
なる条件式を満足することを特徴としている。
【手続補正３】
【補正対象書類名】明細書
【補正対象項目名】００１１
【補正方法】変更
【補正の内容】
【００１１】
以下に本発明の好ましい実施の形態を添付の図面に基づいて詳細に説明する。本発明のズームレンズは、物体側から像側へ順に配置された、負の屈折力の第１レンズ群、正の屈折力の第２レンズ群を有し、ズーミングに際して隣り合うレンズ群の間隔が変化する。第１レンズ群は樹脂材料よりなり非球面形状のレンズ面を有する負レンズＧ１ｎと樹脂材料よりなり非球面形状のレンズ面を有する正レンズＧ１ｐを含む３枚以上のレンズから構成されている。
【手続補正４】
【補正対象書類名】明細書
【補正対象項目名】００４２
【補正方法】変更
【補正の内容】
【００４２】
以下に、本発明の各実施例のレンズ構成について説明する。実施例１のズームレンズは、物体側から像側へ順に配置された、負の屈折力の第１レンズ群Ｌ１、正の屈折力の第２レンズ群Ｌ２からなる。第１レンズ群Ｌ１は、物体側から像側へ順に配置された、ガラス材料よりなり、物体側に凸面を向けたメニスカス形状の負レンズＧ１、物体側に凸面を向けたメニスカス形状の負レンズＧ２、物体側に凸面を向けたメニスカス形状の正レンズＧ３から構成されている。負レンズＧ２と正レンズＧ３は物体側のレンズ面と像側のレンズ面が共に非球面形状となっている。
【手続補正５】
【補正対象書類名】明細書
【補正対象項目名】００４４
【補正方法】変更
【補正の内容】
【００４４】
実施例２のズームレンズは、物体側から像側へ順に配置された、負の屈折力の第１レンズ群Ｌ１、正の屈折力の第２レンズ群Ｌ２、正の屈折力の第３レンズ群Ｌ３からなる。第１レンズ群Ｌ１のレンズ構成は、実施例１と同じである。第２レンズ群Ｌ２は、物体側から像側へ順に、両凸形状の正レンズ、開口絞りＳＰ、両凸形状の正レンズ、負レンズで構成される。
【手続補正６】
【補正対象書類名】明細書
【補正対象項目名】００４５
【補正方法】変更
【補正の内容】
【００４５】
第３レンズ群Ｌ３は、像側に凸面を向けたメニスカス形状の正レンズから構成されている。フォーカシングは実施例１と同じである。広角端から望遠端へのズーミングに際して、第１レンズ群Ｌ１は像側に凸形状で略往復するように動き、第２レンズ群Ｌ２は物体側へ動き第３レンズ群Ｌ３は物体側へ動く。実施例３のズームレンズは、物体側から像側へ順に配置された、負の屈折力の第１レンズ群Ｌ１、正の屈折力の第２レンズ群Ｌ２、負の屈折力の第３レンズ群Ｌ３、正の屈折力の第４レンズ群からなる。第１レンズ群Ｌ１のレンズ構成は実施例１と同じである。
【手続補正７】
【補正対象書類名】明細書
【補正対象項目名】００４８
【補正方法】変更
【補正の内容】
【００４８】
実施例４のズームレンズは、物体側から像側へ順に、次のとおりである。負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５、正の第６レンズ群Ｌ６からなる。第１レンズ群Ｌ１のレンズ構成は実施例１と同じである。第２レンズ群Ｌ２は、両凸形状の正レンズから構成されている。第３レンズ群Ｌ３は、物体側の面が凹形状の負レンズから構成されている。
【手続補正８】
【補正対象書類名】明細書
【補正対象項目名】００５８
【補正方法】変更
【補正の内容】
【００５８】
各種データ
ズーム比     2.87 
広角     中間     望遠
焦点距離      18.61    36.00    53.35  
Fナンバー      3.63     5.05     6.48  
半画角（度）  36.28    20.78    14.36  
像高          13.66    13.66    13.66  
レンズ全長    99.60    93.62   102.51  
BF            35.24    52.12    68.96  
正レンズG1p(G3)：比重1.22
負レンズG1n(G2)：比重1.02
d 6           33.31    10.45     2.50  
d15           35.24    52.12    68.96  
レンズ群データ
群  始面    焦点距離  レンズ構成長  前側主点位置  後側主点位置
1    1     -30.12        17.03         1.58        -13.07 
2    7      29.23        14.03         0.05        -12.05 
単レンズデータ
レンズ  始面  焦点距離
1       1    -32.41 
2       3    -56.75 
3       5     64.20 
4       7     21.27 
5      10     34.12 
6      12    -15.20 
7      14     57.55 
【手続補正９】
【補正対象書類名】明細書
【補正対象項目名】００６１
【補正方法】変更
【補正の内容】
【００６１】
各種データ
ズーム比     2.87 
広角     中間     望遠
焦点距離      18.61    36.00    53.35  
Fナンバー      3.63     5.04     6.48  
半画角（度）  36.28    20.78    14.36  
像高          13.66    13.66    13.66  
レンズ全長   100.98    94.76   103.50  
BF            35.20    52.22    69.18  
正レンズG1p(G3)：比重1.22
負レンズG1n(G2)：比重1.02
d 6           33.76    10.56     2.50  
d13            4.09     4.05     3.89  
d15           35.20    52.22    69.18  
レンズ群データ
群  始面    焦点距離  レンズ構成長  前側主点位置  後側主点位置
1    1     -30.22        17.81         1.42        -14.13 
2    7      39.69         8.88        -9.47        -12.51 
3   14      61.57         1.24         2.01          1.29 
単レンズデータ
レンズ  始面  焦点距離
1       1    -32.66 
2       3    -57.07 
3       5     66.54 
4       7     20.64 
5      10     34.73 
6      12    -14.85 
7      14     61.57 
【手続補正１０】
【補正対象書類名】明細書
【補正対象項目名】００６４
【補正方法】変更
【補正の内容】
【００６４】
各種データ
ズーム比     2.87 
広角     中間     望遠
焦点距離      18.61    34.00    53.35  
Fナンバー      3.56     4.54     5.87  
半画角（度）  36.28    21.89    14.36  
像高          13.66    13.66    13.66  
レンズ全長   125.65   114.98   123.54  
BF            35.08    50.06    69.16  
正レンズG1p(G3)：比重1.22
負レンズG1n(G2)：比重1.02
d 6           37.19    11.56     1.00  
d16            2.60     6.71    10.08  
d19            8.93     4.82     1.45  
d23           35.08    50.06    69.16  
レンズ群データ
群  始面    焦点距離  レンズ構成長  前側主点位置  後側主点位置
1    1     -28.55        15.45         1.38        -11.45
2    7      30.48        18.35         8.09         -7.92
3   17     -60.54         3.72         1.76         -0.45
4   20      69.02         4.33         2.99         -0.04
単レンズデータ
レンズ  始面  焦点距離
1       1    -29.91
2       3    -55.00
3       5     58.10
4       7     47.21
5       9    -34.31
6      11     29.19
7      13     30.02
8      14    -36.64
9      17    -15.60
10      18     20.37
11      20   -9933.43
12      22     68.36
【手続補正１１】
【補正対象書類名】明細書
【補正対象項目名】００６６
【補正方法】変更
【補正の内容】
【００６６】
非球面データ
第3面
K = 3.62521e-001  A 4=-1.47093e-005  A 6= 5.69429e-007 
A 8=-6.52440e-009  A10= 2.63608e-011  A12=-3.21282e-014  
第4面
K = 3.20136e-001  A 4=-9.49699e-005  A 6= 2.15185e-006 
A 8=-3.05065e-008  A10= 1.73315e-010  A12=-3.77321e-013  
第5面
K = 0.00000e+000  A 4=-6.25809e-005  A 6= 1.83044e-006 
A 8=-2.54929e-008  A10= 1.59705e-010  A12=-3.50033e-013  
第6面
K = 0.00000e+000  A 4=-3.42857e-005  A 6= 6.55764e-007 
A 8=-1.01352e-008  A10= 7.10426e-011  A12=-1.53571e-013  
第21面
K = 0.00000e+000  A 4= 3.18801e-005  A 6= 1.14735e-007 
A 8=-2.21204e-009  A10= 3.68005e-011  A12=-1.99680e-013  
各種データ
ズーム比     2.87 
広角     中間     望遠
焦点距離      18.61    34.00    53.35  
Fナンバー      3.54     4.56     5.87  
半画角（度）   36.28    21.89    14.36  
像高          13.66    13.66    13.66  
レンズ全長   120.14   112.50   122.18  
BF            35.08    50.24    69.67  
正レンズG1p(G3)：比重1.22
負レンズG1n(G2)：比重1.02
d 6           33.54    10.75     1.00  
d 8            4.71     6.18     6.87  
d10            2.59     1.12     0.43  
d16            2.60     5.71     8.45  
d19            7.41     4.30     1.56  
d23           35.08    50.24    69.67  
レンズ群データ
群  始面    焦点距離  レンズ構成長  前側主点位置  後側主点位置
1    1     -29.44        15.88         0.47        -13.31
2    7      51.61         2.17         0.54         -0.93
3    9     -36.45         0.60         0.05         -0.32
4   11      23.71         8.57         1.57         -4.60
5   17     -60.89         3.02         1.89          0.13
6   20      73.65         3.96         2.43         -0.28
単レンズデータ
レンズ  始面  焦点距離
1       1    -28.96
2       3    -55.00
3       5     55.73
4       7     51.61
5       9    -36.45
6      11     34.26
7      13     31.20
8      14    -52.70
9      17    -18.72
10      18     26.07
11      20   -1036.95
12      22     68.68